(57)【特許請求の範囲】
【請求項１】
自電話装置のオフフックを検出するオフフック検出手段と、
電話回線に併設された電話機のオフフックを検出する併設電話機オフフック検出手段と、電話回線の回線電圧を増幅する一段目アンプと、
前記一段目アンプの出力電圧を増幅する二段目アンプと、
前記一段目アンプの出力端子とグランド間を接続する抵抗値が可変の抵抗と
を有し、
前記併設電話機オフフック検出手段は、
前記抵抗の抵抗値を変化させることにより前記二段目アンプの入力の中点を変化させ、前記一段目アンプの出力電圧の一部を増幅するように制御し、
前記オフフック検出手段が本電話装置のオンフックを検出している状態では前記第二のアンプの出力電圧が第１の基準値以上なら併設電話装置はオンフック、第１の基準値未満なら併設電話装置はオフフックと判定し、
前記オフフック検出手段が本電話装置のオフフックを検知した時に前記二段目アンプの出力電圧の測定結果を第２の基準電圧として記憶し、
本電話装置のオフフック状態においては前記二段目アンプの出力電圧が前記第２の基準電圧より所定値以上降下した場合に併設電話装置がオフフックされたと判定する
ことを特徴とする電話装置。
【請求項２】
本電話装置のオフフック状態において、併設電話装置がオフフックされたと判定された後、前記二段目アンプの出力電圧が前記第２の基準電圧に戻れば併設電話装置はオンフックしたと判定する請求項１記載の電話装置。
【請求項３】
電話回線の回線電圧を増幅する一段目アンプと、
前記一段目アンプの出力電圧を増幅する二段目アンプと、
前記一段目アンプの出力端子とグランド間を接続する抵抗値が可変の抵抗と
自電話装置のオフフックを検出するオフフック検出手段と、
電話回線に併設された電話機のオフフックを検出する併設電話機オフフック検出手段と、電話回線から入力されるアラート信号を検知するアラート信号検知手段と、
前記アラート信号検知手段がアラート信号を検知したときに確認信号を送出するための確認信号送出手段と、
前記確認信号送出手段が確認信号を送出した後、電話回線から入力される発呼者情報信号を検出する発呼者情報検出手段とを備え、
前記併設電話機オフフック検出手段は、
前記抵抗の抵抗値を変化させることにより前記二段目アンプの入力の中点を変化させ、前記一段目アンプの出力電圧の一部を増幅するように制御し、
前記オフフック検出手段が本電話装置のオンフックを検出している状態では前記二段目アンプの出力電圧が第１の基準値以上なら併設電話装置はオンフック、第１の基準値未満なら併設電話装置はオフフックと判定し、
前記オフフック検出手段が本電話装置のオフフックを検知した時に前記二段目アンプの出力電圧の測定結果を第２の基準電圧として記憶し、
本電話装置のオフフック状態においては前記二段目アンプの出力電圧が前記第２の基準電圧より所定値以上降下した場合に併設電話装置がオフフックされたと判定し、
前記併設電話機オフフック検出手段が併設電話装置のオフフックを検出している状態で前記アラート信号が入力されたときは、前記確認信号送出手段が確認信号を送出しないようにした
ことを特徴とする電話装置。
【発明の詳細な説明】
【０００１】
【発明の属する技術分野】
本発明は、発呼者情報を表示する機能を備えた電話装置に関する。
【０００２】
【従来の技術】
近年、電話の通話中に着信があった場合、通話相手の切り替えを可能とする交換局のサービス（以下コールウェイティングとする）において、第２の発呼者の情報を表示することができるビジュアルコールウェイティングサービスが普及しつつある。
【０００３】
図５は従来の電話装置の構成を示すブロック図、図６は同電話装置の動作を説明するためのフローチャートである。
【０００４】
図５において、１は電話回線、２は電話回線１より入力されるアラート信号を検知するためのアラート信号検知手段、３はアラート信号を検知したことを確認信号で電話回線１へ送出するための確認信号送出手段、４は電話回線１より到来する発呼者情報を検出するための発呼者情報検出手段、５はフックスイッチ、６は発呼者情報検出手段４により得られた発呼者情報を記憶する記憶手段、７はマイクロコンピュータにより構成されている本体制御装置、８は回線との送話／受話を行うための送受話回路である。
【０００５】
以上の各構成部を持つ電話装置において、以下その動作について説明する。
この電話装置は図６のフローチャートに示すように、オフフック時は常にアラート信号入力を監視し（ＳＴＥＰ１）、入力があれば確認信号を送出し（ＳＴＥＰ２）、その後送られてくる発呼者情報を受信し、その情報を表示、記憶する（ＳＴＥＰ３）。
【０００６】
【発明が解決しようとする課題】
しかしながら、上記従来の電話装置の構成では、同じ回線につながれた併設電話装置の状態に関わらずアラート信号受信後に確認信号を送出してしまうため、同じ回線につながれた併設電話装置がオフフックのときには確認信号や発呼者情報のデータ音が併設電話装置に聞こえてしまい、また、同じ回線につながれた併設電話装置がオフフックのときには確認信号を返してはいけないという規格に反してしまうという課題があった。
【０００７】
本発明は上記従来の課題に鑑み、同じ回線に併設電話装置がつながれていても、併設電話装置がオフフックのときには確認信号や発呼者情報のデータ音が併設電話装置に聞こえないようにし、また、上記規格を満足する電話装置を提供することを目的とする。
【０００８】
【課題を解決するための手段】
本発明は上記目的を達成するために、自電話装置のオフフックを検出するオフフック検出手段と、電話回線に併設された電話機のオフフックを検出する併設電話機オフフック検出手段と、電話回線の回線電圧を増幅する一段目アンプと、一段目アンプの出力電圧を増幅する二段目アンプと、一段目アンプの出力端子とグランド間を接続する抵抗値が可変の抵抗とを備え、この併設電話機オフフック検出手段は、抵抗の抵抗値を変化させることにより二段目アンプの入力の中点を変化させ、一段目アンプの出力電圧の一部を増幅するように制御し、オフフック検出手段が本電話装置のオンフックを検出している状態では二段目アンプの出力電圧が第１の基準値以上なら併設電話装置はオンフックと判定し、第１の基準値未満なら併設電話装置はオフフックと判定し、オフフック検出手段が本電話装置のオフフックを検知した時に二段目アンプの出力電圧の測定結果を第２の基準電圧として記憶し、本電話装置のオフフック状態においては二段目アンプの出力電圧が前記第２の基準電圧より所定値以上降下した場合に併設電話装置がオフフックされたと判定する構成とする。
【０００９】
前記構成の本発明の電話装置は、併設電話機オフフック検出手段がオフフックを検出している状態で、前記アラート信号が入力されたときは、前記確認信号送出手段が確認信号を送出しないようにして、併設電話装置がオフフックのときには確認信号や発呼者情報のデータ音が併設電話装置に聞こえないようにし、また上記規格を満足する電話装置を提供できることとなった。
【００１０】
【発明の実施の形態】
本発明の請求項１に記載の発明は、自電話装置のオフフックを検出するオフフック検出手段と、電話回線に併設された電話機のオフフックを検出する併設電話機オフフック検出手段と、電話回線の回線電圧を増幅する一段目アンプと、前記一段目アンプの出力電圧を増幅する二段目アンプと、前記一段目アンプの出力端子とグランド間を接続する抵抗値が可変の抵抗とを有し、前記併設電話機オフフック検出手段は、前記抵抗の抵抗値を変化させることにより前記二段目アンプの入力の中点を変化させ、前記一段目アンプの出力電圧の一部を増幅するように制御し、前記オフフック検出手段が本電話装置のオンフックを検出している状態では前記二段目アンプの出力電圧が第１の基準値以上なら併設電話装置はオンフック、第１の基準値未満なら併設電話装置はオフフックと判定し、オフフック検出手段が本電話装置のオフフックを検知した時に前記二段目アンプの出力電圧の測定結果を第２の基準電圧として記憶し、本電話装置のオフフック状態においては前記二段目アンプの出力電圧が前記第２の基準電圧より所定値以上降下した場合に併設電話装置がオフフックされたと判定するようにした電話装置であり、同じ回線に接続された併設電話装置のフック状態を検出することができるという作用を有する。
【００１１】
以下本発明の実施の形態について、図面を参照しながら説明する。なお、前記従来例の電話装置と同じ構成部には同一符号を付与する。
【００１２】
（実施の形態１）
図１は本発明の実施の形態１の電話装置の主要部の構成を示すブロック図である。
【００１３】
図１において、１は電話回線、２は電話回線１より入力されるアラート信号を検知するためのアラート信号検知手段、３はアラート信号を検知したことを確認信号で電話回線１へ送出するための確認信号送出手段、４は電話回線１より到来する発呼者情報を検出するための発呼者情報検出手段、５はフックスイッチ、６は発呼者情報検出手段４により得られた発呼者情報を記憶する記憶手段、７はマイクロコンピュータにより構成されている本体制御装置、８は回線との送話／受話を行うための送受話回路であり、本実施の形態１の電話装置は、同じ回線に接続された併設電話装置の状態を検知するための回線電圧検知回路９を備えたことに特徴を有している。
【００１４】
図２は同電話装置における電圧検知回路の構成図である。
図中の１０は本体制御装置にて制御する抵抗、１１は１段目のアンプ、１２は２段目のアンプ、（１）および（２）は本体制御装置７に入力する１段目のアンプ１１と２段目のアンプ１２の出力である。
【００１５】
この回線電圧検知回路９は、回線電圧４８（Ｖ）を本体制御装置７のマイクロコンピュータにて測定できる５（Ｖ）程度にレベルを圧縮し、本電話装置がオンフックのときに同一回線につながれた併設電話装置がオフフックされているかどうかを検知する。
【００１６】
そして出力（１）を本体制御装置７のマイクロコンピュータで測定し、３．４（Ｖ）以上なら併設電話装置はオンフック、それ未満なら併設電話装置はオフフックと判定する。
【００１７】
本電話装置がオフフックのときには、本体制御装置７のマイクロコンピュータにより抵抗１０の抵抗値を各抵抗とグランド間のスイッチを制御することにより変化させる。すると２段目のアンプ１２の中点電圧が変化し、出力（１）の電圧レベルの一部分のみを増幅することができる。そして本体制御装置７のマイクロコンピュータにて、併設電話装置がオフフックされたときの増幅された出力（２）の電圧の微小な変化を測定する。回線電圧０．５（Ｖ）以上の変化でオンフック／オフフックの変化を確定するため、本体制御装置７のマイクロコンピュータでは回線電圧が２倍に増幅された電圧（２）が１（Ｖ）以上変化するかどうかを判定する。
【００１８】
以上の各構成部よりなる電話装置において、以下その動作について説明する。図３のフローチャートに示すように、フックスイッチ５がオフフックのときは、常に同じ回線に接続された併設電話装置のフック状態をモニターする（ＳＴＥＰ１）。この詳細については図４の説明にて後述する。
【００１９】
また、アラート信号入力も常に監視し（ＳＴＥＰ２）、入力があれば併設電話装置がオフフックかどうか判定する（ＳＴＥＰ３）。オフフックであればアラート信号を無視し、再び併設電話装置の状態とアラート信号入力の監視を行う。オンフックであれば、確認信号を送出し（ＳＴＥＰ４）、その後送られてくる発呼者情報を受信し、その情報を表示、記憶する（ＳＴＥＰ５）。
【００２０】
図４は同電話装置における電圧検知回路の動作を説明するためのフローチャートで、さらに詳しくは併設電話装置のフック状態検知動作を説明するためのフローチャートである。
【００２１】
自電話装置がオンフックのときに、本体制御装置７のマイクロコンピュータへ入力される図２の出力（１）の電圧が３．４（Ｖ）以上であれば、同一回線でつながれた併設電話装置はオンフックであると判断する。その後、自電話装置がオフフックされたときに本体制御装置７のマイクロコンピュータへ入力される図２の出力（２）の電圧をマイクロコンピュータにて測定し、基準電圧として記憶する（ＳＴＥＰ１）。以後、本体制御装置７のマイクロコンピュータヘ、前記基準電圧から１（Ｖ）以上、図２の出力（２）の入力電圧が上昇すれば、回線電圧は０．５（Ｖ）以上降下していることになるので（図２の回線からの電圧とマイクロコンピュータへの出力（２）は論理が反転し、約２倍にアンプされるため）、同一回線につながれた併設電話装置がオフフックされたと判定する（ＳＴＥＰ２）。その後、回線電圧が上記基準電圧まで戻れば、併設電話装置は再びオンフックされたと判断する。（ＳＴＥＰ３）。
【００２２】
自電話装置がオンフックのときに、本体制御装置７のマイクロコンピュータへの図２の出力（１）の入力電圧が３．４（Ｖ）未満であれば、同一回線でつながれた併設電話装置はオフフックであると判断する。そのときに本電話装置をオフフックした場合は、本体制御装置７のマイクロコンピュータへ入力される図２の出力（２）の電圧をマイクロコンピュータにて測定し、それ以前にＳＴＥＰ１により記憶されている基準電圧と比較する。
【００２３】
同レベルであれば、自電話装置オフフックと同時に併設電話装置はオンフックされたと判断し、その電圧を基準電圧として記憶する（ＳＴＥＰ１）。もし、同レベルでなければ併設電話装置はオフフックのままであると判断する。その後、本体制御装置７のマイクロコンピュータへ入力される図２の出力（２）の電圧が１Ｖ以上降下すると、回線電圧が０．５Ｖ以上上昇したこととなり、併設電話装置がオンフックされたと見なす。
【００２４】
以上のように本実施の形態１の電話装置によれば、併設電話装置がオフフックのときには確認信号や発呼者情報のデータ音が併設電話装置に聞こえないようにし、また上記規格を満足することができるという効果が生じる。
【００２５】
【発明の効果】
以上の説明より明らかなように、本発明は自電話装置のオフフックを検出するオフフック検出手段と、電話回線に併設された電話機のオフフックを検出する併設電話機オフフック検出手段と、電話回線から入力されるアラート信号を検知するアラート信号検知手段と、前記アラート信号検知手段がアラート信号を検知したときに確認信号を送出するための確認信号送出手段と、前記確認信号送出手段が確認信号を送出した後、電話回線から入力される発呼者情報信号を検出する発呼者情報検出手段を備え、前記併設電話機オフフック検出手段がオフフックを検出している状態で前記アラート信号が入力されたときは、前記確認信号送出手段が確認信号を送出しないようにすることにより、併設電話装置がオフフックのときには確認信号や発呼者情報のデータ音が併設電話装置に聞こえないようにし、また上記規格を満足することができ、その効果は大きい。
【図面の簡単な説明】
【図１】本発明の実施の形態１の電話装置の主要部の構成を示すブロック図
【図２】同電話装置における電圧検知回路の構成図
【図３】同電話装置の動作を説明するためのフローチャート
【図４】同電話装置における電圧検知回路の動作を説明するためのフロチャート
【図５】従来の電話装置の構成を示すブロック図
【図６】従来の電話装置の動作を説明するためのフローチャート
【符号の説明】
１  電話回線
２  アラート信号検知手段
３  確認信号送出手段
４  発呼者情報検出手段
５  フックスイッチ
６  記憶手段
７  本体制御装置
８  送受話回路
９  回線電圧検知回路
１０  本体制御装置にて制御する抵抗
１１  １段目のアンプ
１２  ２段目のアンプ
【図１】
0003728910.tif 000002
【図２】
0003728910.tif 000003
【図３】
0003728910.tif 000004
【図４】
0003728910.tif 000005
【図５】
0003728910.tif 000006
【図６】
0003728910.tif 000007